(57)【要約】【課題】  無線アクセス網の遷移を改善し、発信時間の短縮を図ることを目的とする。【解決手段】  移動機での通信方法は、第１の無線アクセス網での通信終了のときに、在圏すべき第２の無線アクセス網が指定された無線アクセス網遷移指示を受信するステップ；指定された第２の無線アクセス網への遷移を開始するステップ；発信要求のときに、通信すべき無線アクセス網を確認するステップ；及び通信すべき無線アクセス網が第１の無線アクセス網である場合、第２の無線アクセス網への遷移を中断するステップ；を有する。【選択図】  図６
2010226232.tif 000002
【特許請求の範囲】
【請求項１】
移動機での通信方法であって：
第１の無線アクセス網での通信終了のときに、在圏すべき第２の無線アクセス網が指定された無線アクセス網遷移指示を受信するステップ；
指定された第２の無線アクセス網への遷移を開始するステップ；
発信要求のときに、通信すべき無線アクセス網を確認するステップ；及び
通信すべき無線アクセス網が第１の無線アクセス網である場合、第２の無線アクセス網への遷移を中断するステップ；
を有する通信方法。
【請求項２】
使用中のアプリケーションに基づいて第１の無線アクセス網で発信予定があるか否かを確認するステップ；及び
発信予定がある場合、指定された第２の無線アクセス網への遷移を保留し、発信要求のときに、第１の無線アクセス網で通信するステップ；
を更に有する、請求項１に記載の通信方法。
【請求項３】
発信予定があるが、所定時間内に発信要求がない場合、指定された第２の無線アクセス網への遷移を開始するステップ；
を更に有する、請求項２に記載の通信方法。
【請求項４】
通信終了のときに、在圏すべき無線アクセス網が指定された無線アクセス網遷移指示に従って、指定された無線アクセス網への遷移を開始する在圏制御部；及び
発信要求のときに、通信すべきアクセス網を確認し、通信すべきアクセス網が遷移前の無線アクセス網である場合、指定された無線アクセス網への遷移を中断させる無線アクセス網管理部；
を有する移動機。
【発明の詳細な説明】
【技術分野】
【０００１】
本発明は、通信方法及び移動機に関する。
【背景技術】
【０００２】
ＬＴＥ（Long Term Evolution）では、無線アクセス網の基地局が移動機に対して在圏すべき無線アクセス網（ＲＡＴ：Radio Access Technology）を指定することができる。このような機能を、ここではＲＡＴ  Ｐｒｉｏｒｉｔｙと呼ぶ。ＲＡＴ  Ｐｒｉｏｒｉｔｙでは、通信終了時に無線アクセス網の基地局は、移動機が在圏すべき無線アクセス網を指定し、指定された無線アクセス網に移動機を遷移させる（非特許文献１及び２参照）。
【０００３】
例えば、ＲＡＴ  Ｐｒｉｏｒｉｔｙでは、ＬＴＥ網、ＵＭＴＳ網等の無線アクセス網が指定される。
【先行技術文献】
【非特許文献】
【０００４】
【非特許文献１】ＴＳ３６．３３１
【非特許文献２】ＴＳ３６．３０４
【発明の概要】
【発明が解決しようとする課題】
【０００５】
例えば、ＬＴＥサービス開始当初は、音声等の回線交換（ＣＳ：Circuit Switching）サービスはＵＭＴＳ（Universal Mobile Telecommunications System）網で提供されるため、移動機がＵＭＴＳ網に優先的に在圏する必要性が高い。このため、ＲＡＴ  ＰｒｉｏｒｉｔｙではＵＭＴＳ網が指定されることが想定される。また、移動機がＵＭＴＳ網に在圏していても、パケット発信時に同じエリアにＬＴＥ網が存在する場合には、無線アクセス網の基地局によりＬＴＥ網への遷移が指示されることが想定される。
【０００６】
しかし、アプリケーションによっては、ＬＴＥ網でのパケット通信の終了により移動機がＬＴＥ網の無線接続を解放した直後に、再度ＬＴＥ網でパケットを発信することが考えられる。このような場合、無線解放により移動機がＵＭＴＳ網に遷移してしまうと、移動機は、パケット通信のために、再度ＬＴＥ網に遷移しなければならない。
【０００７】
同様に、ＵＭＴＳ網での音声通信の終了により移動機がＵＭＴＳ網の無線接続を解放した直後に、再度ＵＭＴＳ網で音声を発信することが考えられる。このような場合にも、無線解放により移動機がＬＴＥ網に遷移してしまうと、移動機は、音声通信のために、再度ＵＭＴＳ網に遷移しなければならない。
【０００８】
このような無線アクセス網の遷移は非効率であり、発信時に遅延が生じる。本発明は、無線アクセス網の遷移を改善し、発信時間の短縮を図ることを目的とする。
【課題を解決するための手段】
【０００９】
本発明の通信方法は、
移動機での通信方法であって：
第１の無線アクセス網での通信終了のときに、在圏すべき第２の無線アクセス網が指定された無線アクセス網遷移指示を受信するステップ；
指定された第２の無線アクセス網への遷移を開始するステップ；
発信要求のときに、通信すべき無線アクセス網を確認するステップ；及び
通信すべき無線アクセス網が第１の無線アクセス網である場合、第２の無線アクセス網への遷移を中断するステップ；
を有することを特徴の１つとする。
【００１０】
本発明の移動機は、
通信終了のときに、在圏すべき無線アクセス網が指定された無線アクセス網遷移指示に従って、指定された無線アクセス網への遷移を開始する在圏制御部；及び
発信要求のときに、通信すべきアクセス網を確認し、通信すべきアクセス網が遷移前の無線アクセス網である場合、指定された無線アクセス網への遷移を中断させる無線アクセス網管理部；
を有することを特徴の１つとする。
【発明の効果】
【００１１】
本発明の実施例によれば、無線アクセス網の遷移が改善され、発信時間が短縮される。
【図面の簡単な説明】
【００１２】
【図１】本発明の実施例が適用される無線アクセスシステムの例
【図２】本発明の実施例に係る移動機のブロック図
【図３】本発明の実施例に係る移動機での通信方法のフローチャート
【図４】移動機での通信方法の変形例のフローチャート
【図５】通常の通信方法のシーケンス図
【図６】本発明の実施例に係る通信方法のシーケンス図
【発明を実施するための形態】
【００１３】
本発明の実施例では、それぞれ異なる無線アクセス技術を適用した複数の無線アクセス網（ＲＡＴ）で通信可能な移動機が用いられる。移動機は、無線アクセス網の基地局からＲＡＴ  Ｐｒｉｏｒｉｔｙを受信する。ＲＡＴ  Ｐｒｉｏｒｉｔｙとは、在圏すべき無線アクセス網が指定された無線アクセス網遷移指示である。通常では、移動機は、ＲＡＴ  Ｐｒｉｏｒｉｔｙで指定された無線アクセス網に遷移する。
【００１４】
本発明の実施例では、ＲＡＴ  Ｐｒｉｏｒｉｔｙにより指定された無線アクセス網に遷移中に、遷移前の無線アクセス網での発信要求があった場合、指定された無線アクセス網への遷移を中断する。遷移の中断により、移動機は迅速に通信を開始できる。
【００１５】
図１に、本発明の実施例が適用される無線アクセスシステムの例を示す。無線アクセスシステムは、それぞれ異なる無線アクセス技術を適用した複数の無線アクセス網と、複数の無線アクセス網で通信可能な移動機とで構成される。例えば、無線アクセス網には、ＵＭＴＳ網とＬＴＥ網とが含まれる。無線アクセス網には、ＣＤＭＡ２０００（Code Division Multiple Access 2000）網、ＧＳＭ（Global System for Mobile Communications）網、ＧＰＲＳ（General Packet Radio Service）網が含まれてもよい。ＵＭＴＳ網には、ＳＧＳＮ（Serving GPRS Support Node）と呼ばれる交換機と、ＢＴＳ（Base Transceiver Station）と呼ばれる基地局とが含まれる。ＳＧＳＮは、通信に必要なモビリティ管理、セッション管理、パケット転送等の制御系の機能を備える。ＬＴＥ網には、ＭＭＥ（Mobile Management Entity）と呼ばれる交換機と、ｅＮＢ（eNode-B）と呼ばれる基地局とが含まれる。ＭＭＥは、ＳＧＳＮと同様に、モビリティ管理等の制御系の機能を備える。
【００１６】
ＬＴＥ網では、移動機は、ｅＮＢと無線接続してパケット通信する。パケット通信が終了すると、ＬＴＥ網のｅＮＢは、ＲＡＴ  Ｐｒｉｏｒｉｔｙにより、移動機が在圏すべき無線アクセス網を指定できる。回線交換サービスはＵＭＴＳ網で提供されるため、ＬＴＥ網のｅＮＢがＲＡＴ  ＰｒｉｏｒｉｔｙでＵＭＴＳ網を指定すると、移動機はＵＭＴＳ網への遷移を開始し、ＵＭＴＳ網への遷移終了後にＬＴＥ網との無線接続を解放する。このＵＭＴＳ網への遷移中にパケット発信要求があった場合、ＵＭＴＳ網への遷移を中断し、ＬＴＥ網で発信することが望ましい。また、ＬＴＥ網でのパケット通信が終了した時点で、再度ＬＴＥ網での発信が判明しているようなアプリケーションがあれば、ＵＭＴＳ網への遷移の指示に従わず、ＬＴＥ網で発信することが望ましい。
【００１７】
同様に、ＵＭＴＳ網では、移動機はＢＴＳと無線接続して音声通信又はパケット通信する。音声通信又はパケット通信が終了すると、ＵＭＴＳ網のＢＴＳは、ＲＡＴ  Ｐｒｉｏｒｉｔｙにより、移動機が在圏すべき無線アクセス網を指定できる。ＵＭＴＳ網のＢＴＳがＲＡＴ  ＰｒｉｏｒｉｔｙでＬＴＥ網を指定すると、移動機はＬＴＥ網への遷移を開始し、ＬＴＥ網への遷移終了後にＵＭＴＳ網との無線接続を解放する。このＬＴＥ網への遷移中にすぐに音声発信要求があった場合、ＬＴＥ網への遷移を中断し、ＵＭＴＳ網で発信することが望ましい。また、ＵＭＴＳ網での音声通信又はパケット通信が終了した時点で、再度ＵＭＴＳ網での発信が判明しているようなアプリケーションがあれば、ＬＴＥ網への遷移の指示に従わず、ＵＭＴＳ網で発信することが望ましい。
【００１８】
このため、移動機がＲＡＴ  Ｐｒｉｏｒｉｔｙに従わずに遷移前の無線アクセス網で再発信することにより、無駄なＲＡＴ間遷移が回避でき、信号量の削減及び発信時間の短縮が実現できる。なお、移動機がＲＡＴ  Ｐｒｉｏｒｉｔｙに従わずに遷移前の無線アクセス網で再発信しても、この再発信による通信終了時に、ＲＡＴ  Ｐｒｉｏｒｉｔｙで在圏すべき無線アクセス網が再度指示される。従って、移動機の判断で無線アクセス網の在圏が続くわけではなく、無線アクセス網によるＲＡＴ  Ｐｒｉｏｒｉｔｙ制御は妨げられない。
【００１９】
＜移動機のブロック図＞
図２に、本発明の実施例に係る移動機１０のブロック図を示す。移動機１０は、アプリケーション１０１と、発信制御部１０３と、在圏ＲＡＴ管理部１０５と、ＬＴＥ通信制御部１０７と、ＬＴＥ在圏制御部１０９と、ＵＭＴＳ在圏制御部１１１と、ＵＭＴＳ通信制御部１１３とを有する。
【００２０】
アプリケーション１０１は、例えば、移動機１０上で動作するソフトウェアであり、ユーザインタフェースを介してユーザから入力を受け取り、無線アクセス網での通信が必要な場合に、発信制御部１０３に対して発信要求を指示する。また、終話時に、発信制御部１０３に対して終話要求を指示する。なお、発信要求とは、通信の開始を要求する信号であり、音声通信の場合にはオフフック信号に相当する。また、終話要求とは、通信の終了を要求する信号であり、音声通信の場合にはオンフック信号に相当する。パケット通信においても、通信の開始及び終了時に発信要求及び終話要求が用いられる。
【００２１】
発信制御部１０３は、アプリケーション１０１から発信要求を受け取り、通信すべき無線アクセス網を確認する。例えば、ＬＴＥ網での通信が必要な場合に、ＬＴＥ通信制御部１０７を介して発信要求をＬＴＥ網に送信する。また、ＵＭＴＳ網での通信が必要な場合に、ＵＭＴＳ通信制御部１１３を介して発信要求をＵＭＴＳ網に送信する。また、発信制御部１０３は、アプリケーション１０１から終話要求を受け取り、ＬＴＥ通信制御部１０７又はＵＭＴＳ通信制御部１１３を介して終話要求をＬＴＥ網又はＵＭＴＳ網に送信する。
【００２２】
ＬＴＥ通信制御部１０７は、アプリケーション１０１に入力されたデータ及び制御情報をＬＴＥ網に送信する。また、ＬＴＥ通信制御部１０７は、ＬＴＥ網から送信されたデータ及び制御情報を受信する。
【００２３】
ＬＴＥ在圏制御部１０９は、ＬＴＥ網に在圏するための処理及びＬＴＥ網の無線接続を解放するための処理を実行する。例えば、通信開始時には、ＬＴＥ網で通信を開始するために必要な基地局の検出、同期の確立等を実行する。通信終了時にＵＭＴＳ網が指定されたＲＡＴ  Ｐｒｉｏｒｉｔｙを受信した場合、ＬＴＥ在圏制御部１０９は、在圏ＲＡＴ管理部１０５に対してＵＭＴＳ網への遷移が必要であることを指示し、ＵＭＴＳ網への遷移が終了したときにＬＴＥ網の無線接続を解放する。
【００２４】
ＵＭＴＳ在圏制御部１１１は、ＵＭＴＳ網に在圏するための処理及びＵＭＴＳ網の無線接続を解放するための処理を実行する。例えば、ＵＭＴＳ網で通信を開始するために必要な基地局の検出、同期の確立等を実行する。通信終了時にＬＴＥ網が指定されたＲＡＴ  Ｐｒｉｏｒｉｔｙを受信した場合、ＵＭＴＳ在圏制御部１１１は、在圏ＲＡＴ管理部１０５に対してＬＴＥ網への遷移が必要であることを指示し、ＬＴＥ網への遷移が終了したときにＵＭＴＳ網の無線接続を解放する。
【００２５】
ＵＭＴＳ通信制御部１１３は、アプリケーション１０１に入力された音声又はデータ及び制御情報をＵＭＴＳ網に送信する。また、ＵＭＴＳ通信制御部１１３は、ＵＭＴＳ網から送信された音声又はデータ及び制御情報を受信する。
【００２６】
在圏ＲＡＴ管理部１０５は、発信制御部１０３からＬＴＥ通信制御部１０７又はＵＭＴＳ通信制御部１１３への指示に基づいて、移動機１０が在圏している無線アクセス網を管理する。なお、在圏ＲＡＴ管理部１０５は、発信制御部１０３から発信要求を受け取り、通信すべきアクセス網を確認し、ＬＴＥ通信制御部１０７又はＵＭＴＳ通信制御部１１３を介してＬＴＥ網又はＵＭＴＳ網に発信要求を送信してもよい。
【００２７】
更に、在圏ＲＡＴ管理部１０５は、ＲＡＴ  Ｐｒｉｏｒｉｔｙで指定された無線アクセス網の遷移状態を管理する。ＬＴＥ在圏制御部１０９で受信したＲＡＴ  ＰｒｉｏｒｉｔｙによりＵＭＴＳ網への遷移が指定されている場合、在圏ＲＡＴ管理部１０５は、ＵＭＴＳ網に在圏するようにＵＭＴＳ在圏制御部１１１に対して指示し、ＬＴＥ網の無線接続を解放するようにＬＴＥ在圏制御部１０９に対して指示する。ＵＭＴＳ在圏制御部１１３で受信したＲＡＴ  ＰｒｉｏｒｉｔｙによりＬＴＥ網への遷移が指定されている場合、在圏ＲＡＴ管理部１０５は、ＬＴＥ網に在圏するようにＬＴＥ在圏制御部１０９に対して指示し、ＵＭＴＳ網の無線接続を解放するようにＵＭＴＳ在圏制御部１１１に対して指示する。
【００２８】
ＲＡＴ  Ｐｒｉｏｒｉｔｙで指定された無線アクセス網への遷移中に、遷移前の無線アクセス網での発信要求を発信制御部１０３で受け取ると、在圏ＲＡＴ管理部１０５は、ＲＡＴ  Ｐｒｉｏｒｉｔｙで指定された無線アクセス網への遷移を中断させる。例えば、ＵＭＴＳ網への遷移中にＬＴＥ網での発信要求を発信制御部１０３で受け取ると、在圏ＲＡＴ管理部１０５は、ＵＭＴＳ在圏制御部１１１に対してＵＭＴＳ網に在圏するための処理を中断させ、ＬＴＥ在圏制御部１０９に対して無線接続を維持させる。また、ＬＴＥ網への遷移中にＵＭＴＳ網での発信要求を発信制御部１０３で受け取ると、在圏ＲＡＴ管理部１０５は、ＬＴＥ在圏制御部１０９に対してＬＴＥ網に在圏するための処理を中断させ、ＵＭＴＳ在圏制御部１１１に対して無線接続を維持させる。
【００２９】
また、アプリケーション１０１で連続発信されることが予め判明している場合には、在圏ＲＡＴ管理部１０５は、この情報をアプリケーション１０１から受け取ってもよい。この場合、在圏ＲＡＴ管理部１０５は、ＬＴＥ在圏制御部１０９及びＵＭＴＳ在圏制御部１１１に対して、ＲＡＴ  Ｐｒｉｏｒｉｔｙで指定された無線アクセス網に遷移しないように指示してもよい。ただし、アプリケーション１０１から発信制御部１０３に対して一定時間発信要求がない場合、在圏ＲＡＴ管理部１０５は、ＬＴＥ在圏制御部１０９及びＵＭＴＳ在圏制御部１１１に対して、ＲＡＴ  Ｐｒｉｏｒｉｔｙで指定された無線アクセス網に遷移するように指示してもよい。
【００３０】
＜移動機での通信方法のフローチャート＞
図３に、移動機１０での通信方法のフローチャートを示す。図３のフローチャートでは、図２の移動機１０の構成要素を用いた通信方法を説明するが、この通信方法の各ステップは、他の構成要素により実行されてもよい。
【００３１】
まず、アプリケーション１０１においてユーザ入力等により発信要求があった場合、この発信要求は、発信制御部１０３に入力され、更に在圏ＲＡＴ管理部１０５に入力される（Ｓ１０１）。発信制御部１０３又は在圏ＲＡＴ管理部１０５は、発信要求を受け取り、通信すべき無線アクセス網を確認する（Ｓ１０３）。例えば、ＬＴＥ網での通信が必要な場合、発信制御部１０３又は在圏ＲＡＴ管理部１０５は、ＬＴＥ通信制御部１０７を介してＬＴＥ網に発信要求を送信し、ＬＴＥ網での通信を開始する（Ｓ１０５）。
【００３２】
また、アプリケーション１０１においてユーザ入力等により終話要求があった場合、この終話要求は、発信制御部１０３に入力される（Ｓ１０７）。例えば、ＬＴＥ網での通信が終了する場合、発信制御部１０３は、ＬＴＥ網通信制御部１０７を介してＬＴＥ網に終話要求を送信する。終話要求に対して、ＬＴＥ在圏制御部１０９は、ＬＴＥ網のｅＮＢからＲＡＴ  Ｐｒｉｏｒｉｔｙを受信したか否かを確認する（Ｓ１０９）。ＲＡＴ  Ｐｒｉｏｒｉｔｙを受信していない場合、移動機１０は処理を終了し、待ち受け状態になる。例えば、ＵＭＴＳ網が指定されたＲＡＴ  Ｐｒｉｏｒｉｔｙを受信した場合、ＬＴＥ在圏制御部１０９は、ＵＭＴＳ網への遷移が必要であることを在圏ＲＡＴ管理部１０５に対して指示する。在圏ＲＡＴ管理部１０５は、ＵＭＴＳ網に在圏するための処理をＵＭＴＳ在圏制御部１１１に対して指示し、ＬＴＥ網との無線接続を解放するようにＬＴＥ在圏制御部１０９に対して指示する（Ｓ１１３）。
【００３３】
次に、アプリケーション１０１においてユーザ入力等により発信要求があった場合、この発信要求は、発信制御部１０３に入力され、更に在圏ＲＡＴ管理部１０５に入力される（Ｓ１１５）。発信制御部１０３又は在圏ＲＡＴ管理部１０５は、発信要求を受け取り、通信すべき無線アクセス網を確認する（Ｓ１１７）。また、在圏ＲＡＴ管理部１０５は、通信すべき無線アクセス網が遷移前の無線アクセス網であるか否かを確認する（Ｓ１１９）。例えば、ＵＭＴＳ網が指定されたＲＡＴ  Ｐｒｉｏｒｉｔｙを受信した後に、発信要求により通信すべき無線アクセス網がＬＴＥ網であるか否かを確認する。通信すべき無線アクセス網がＬＴＥ網でない場合、すなわち、ＵＭＴＳ網である場合、発信制御部１０３又は在圏ＲＡＴ管理部１０５は、ＵＭＴＳ通信制御部１１３を介してＵＭＴＳ網に発信要求を送信し、ＵＭＴＳ網での通信を開始する（Ｓ１２７）。通信すべき無線アクセス網がＬＴＥ網である場合、在圏ＲＡＴ管理部１０５は、ＬＴＥ網からＵＭＴＳ網への遷移中であるか否かを確認する（Ｓ１２１）。遷移中である場合、在圏ＲＡＴ管理部１０５は、ＵＭＴＳ在圏制御部１１１に対してＵＭＴＳ網への遷移を中断させ、ＬＴＥ在圏制御部１０９に対して無線接続を解放しないように指示する（Ｓ１２３）。更に、ＬＴＥ通信制御部１０７を介してＬＴＥ網に発信要求を送信し、ＬＴＥ網での通信を開始する（Ｓ１２７）。遷移中でない場合、在圏ＲＡＴ管理部１０５は、ＬＴＥ在圏制御部１０９に対してＬＴＥ網に遷移させ（Ｓ１２５）、ＬＴＥ通信制御部１０７を介してＬＴＥ網に発信要求を送信し、ＬＴＥ網での通信を開始する（Ｓ１２７）。
【００３４】
図４に、移動機１０での通信方法の変形例のフローチャートを示す。この変形例は、在圏ＲＡＴ管理部１０５がアプリケーション１０１から連続発信するという情報を予め受け取っている場合の通信方法である。
【００３５】
上記のように、終話要求に対して、ＬＴＥ在圏制御部１０９は、ＬＴＥ網のｅＮＢからＲＡＴ  Ｐｒｉｏｒｉｔｙを受信したか否かを確認する（Ｓ１０９）。例えば、ＵＭＴＳ網が指定されたＲＡＴ  Ｐｒｉｏｒｉｔｙを受信した場合、ＬＴＥ在圏制御部１０９は、ＵＭＴＳ網への遷移が必要であることを在圏ＲＡＴ管理部１０５に対して指示する。在圏ＲＡＴ管理部１０５は、アプリケーション１０１から受け取った情報から、ＬＴＥ網での発信予定があるか否かを確認する（Ｓ１１０）。発信予定がない場合、在圏ＲＡＴ管理部１０５は、ＵＭＴＳ網に在圏するための処理をＵＭＴＳ在圏制御部１１１に対して指示し、ＬＴＥ網との無線接続を解放するようにＬＴＥ在圏制御部１０９に対して指示する（Ｓ１１３）。発信予定がある場合、在圏ＲＡＴ管理部１０５は、ＬＴＥ網のｅＮＢからのＲＡＴ  Ｐｒｉｏｒｉｔｙの処理を保留するようにＬＴＥ在圏制御部１０９に対して指示してもよい。
【００３６】
また、在圏ＲＡＴ管理部１０５は、発信予定に従って、所定時間内に実際にアプリケーション１０１から発信要求があるか否かを確認する（Ｓ１１２）。ＬＴＥ網での発信予定があるが、所定時間内に実際にアプリケーション１０１から発信要求を受け取っていない場合、在圏ＲＡＴ管理部１０５は、ＵＭＴＳ網に在圏するための処理をＵＭＴＳ在圏制御部１１１に対して指示し、ＬＴＥ網との無線接続を解放するようにＬＴＥ在圏制御部１０９に対して指示する（Ｓ１１３）。ＬＴＥ網での発信予定があり、所定時間内に実際にアプリケーション１０１から発信要求を受け取った場合、この発信要求はＬＴＥ網通信制御部１０９からＬＴＥ網に送信され、通信が開始する（Ｓ１２７）。
【００３７】
なお、図３及び図４のフローチャートの説明では、ＬＴＥ網のｅＮＢからＲＡＴ  Ｐｒｉｏｒｉｔｙを受信した場合について説明したが、ＵＭＴＳ網のＢＴＳからＲＡＴ  Ｐｒｉｏｒｉｔｙを受信した場合にも、上記のフローチャートは適用可能である。
【００３８】
＜無線アクセスシステムにおける通信方法のシーケンス図＞
図５及び図６を参照して、本発明の実施例に係る通信方法によるシーケンス図を説明する。図５に、通常の通信方法のシーケンス図を示し、図６に、本発明の実施例に係る通信方法のシーケンス図を示す。
【００３９】
図５に示す通常の手順では、ＬＴＥ網での終話要求時に（Ｓ２０１）、移動機とＬＴＥ網との終話処理が実行され（Ｓ２０３）、移動機は、ＬＴＥ網のｅＮＢからＲＡＴ  Ｐｒｉｏｒｉｔｙを受信する（Ｓ２０５）。このＲＡＴ  ＰｒｉｏｒｉｔｙでＵＭＴＳ網が指定されている場合、移動機はＵＭＴＳ網へ遷移する（Ｓ２０７）。
【００４０】
ＵＭＴＳ網での発信要求時に（Ｓ２０９）、移動機はＵＭＴＳ網で通信する。ＵＭＴＳ網での終話要求時に（Ｓ２１１）、移動機とＵＭＴＳ網との終話処理が実行され（Ｓ２１３）、移動機は、ＵＭＴＳ網のＢＴＳからＲＡＴ  Ｐｒｉｏｒｉｔｙを受信する（Ｓ２１５）。このＲＡＴ  ＰｒｉｏｒｉｔｙでＬＴＥ網が指定されている場合、移動機はＬＴＥ網へ遷移する（Ｓ２１７）。
【００４１】
一方、図６に示す本発明の実施例に係る手順では、ＬＴＥ網での終話要求時に（Ｓ３０１）、移動機とＬＴＥ網との終話処理が実行され（Ｓ３０３）、移動機は、ＬＴＥ網のｅＮＢからＲＡＴ  Ｐｒｉｏｒｉｔｙを受信する（Ｓ３０５）。このＲＡＴ  ＰｒｉｏｒｉｔｙでＵＭＴＳ網が指定されている場合、移動機はＵＭＴＳ網への遷移を開始する（Ｓ３０７）。
【００４２】
ＵＭＴＳ網への遷移中にＬＴＥ網での発信要求があった場合（Ｓ３０９）、移動機はＵＭＴＳ網への遷移を中断する（Ｓ３１０）。これにより、移動機はＬＴＥ網での通信を開始することができる。ＬＴＥ網での終話要求時に（Ｓ３１１）、移動機とＵＭＴＳ網との終話処理が実行され（Ｓ３１３）、移動機は、ＬＴＥ網のｅＮＢからＲＡＴ  Ｐｒｉｏｒｉｔｙを受信する（Ｓ３１５）。このＲＡＴ  ＰｒｉｏｒｉｔｙでＵＭＴＳ網が指定されている場合、移動機はＵＭＴＳ網への遷移を開始する（Ｓ３１７）。
【００４３】
このように、本発明の実施例によれば、無駄な遷移が中断され、発信時間が短縮される。
【００４４】
本発明の上記の通信方法は、例えば、ＳＭＳ−ｐｕｓｈのようなアプリケーションに有効である。ＳＭＳ−ｐｕｓｈとは、無線アクセス網から移動機にＳＭＳを送信することにより、移動機がＳＭＳで指示された接続先にパケットを発信する機能である。ＬＴＥ網から、ＳＭＳ−ｐｕｓｈのためのＳＭＳが送信された場合、次に移動機がＬＴＥ網へパケットを発信することが判明している。従って、アプリケーション１０１は、ＳＭＳを解析してＳＭＳ−ｐｕｓｈであることを認識すると、在圏ＲＡＴ管理部１０５に対してＬＴＥ網での連続発信があることを指示し、在圏ＲＡＴ管理部１０５は、ＬＴＥ在圏制御部１０９に対してＬＴＥ網に在圏させるように指示してもよい。或いは、ＳＭＳ−ｐｕｓｈによる発信要求時にＵＭＴＳ網への遷移中である場合、在圏ＲＡＴ管理部１０５は、ＵＭＴＳ在圏制御部１１１に対してＵＭＴＳ網への遷移を中断させてもよい。
【００４５】
また、本発明の上記の通信方法は、例えば、防犯ブザー連動連続発信のようなアプリケーションに有効である。防犯ブザー連動連続発信とは、子供用携帯電話の防犯ブザーを鳴らした場合に、事前に登録されている電話番号に順次に発信するようなアプリケーションである。移動機が１つ目の電話番号に発信して一定時間応答がない場合には、移動機は、その呼を切断し、次の電話番号へ発信する。この際、応答がなくて呼を切断する時点で、次の音声発信が実施されることが判明している。従って、アプリケーション１０１は、在圏ＲＡＴ管理部１０５に対してＵＭＴＳ網での連続発信があることを指示し、在圏ＲＡＴ管理部１０５は、ＵＭＴＳ在圏制御部１１１に対してＵＭＴＳ網に在圏させるように指示してもよい。或いは、防犯ブザー連動連続発信による発信要求時にＬＴＥ網への遷移中である場合、在圏ＲＡＴ管理部１０５は、ＬＴＥ在圏制御部１０９に対してＬＴＥ網への遷移を中断させてもよい。
【００４６】
なお、上記の実施例では、ＬＴＥ網及びＵＭＴＳ網で通信可能な移動機１０について説明したが、本発明は、在圏すべき無線アクセス網が指定された無線アクセス網遷移指示を受信する如何なる移動機にも適用可能である。例えば、移動機１０は、ＣＤＭＡ２０００網から無線アクセス網遷移指示を受信してもよく、ＧＳＭ網又はＧＰＲＳ網から無線アクセス網遷移指示を受信してもよい。
【００４７】
本発明の実施例によれば、在圏ＲＡＴ管理部１０５において無駄な遷移を中断させるため、無線アクセス網の遷移が改善され、発信時間が短縮される。更に、信号量も削減される。
【００４８】
また、在圏ＲＡＴ管理部１０５がアプリケーション１０１から連続発信するという情報を受け取ることにより、連続発信するアプリケーションにおける発信時間が更に短縮される。
【００４９】
なお、移動機が無線アクセス網から指定されたＲＡＴ  Ｐｒｉｏｒｉｔｙに従わずに遷移前の無線アクセス網で再発信しても、この再発信による通信終了時に、ＲＡＴ  Ｐｒｉｏｒｉｔｙで在圏すべき無線アクセス網が再度指示される。従って、移動機の判断で無線アクセス網の在圏が続くわけではなく、無線アクセス網によるＲＡＴ  Ｐｒｉｏｒｉｔｙ制御は妨げられない。
【符号の説明】
【００５０】
１０    移動機
１０１  アプリケーション
１０３  発信制御部
１０５  在圏ＲＡＴ管理部
１０７  ＬＴＥ通信制御部
１０９  ＬＴＥ在圏制御部
１１１  ＵＭＴＳ在圏制御部
１１３  ＵＭＴＳ通信制御部
【図１】
2010226232.tif 000003
【図２】
2010226232.tif 000004
【図３】
2010226232.tif 000005
【図４】
2010226232.tif 000006
【図５】
2010226232.tif 000007
【図６】
2010226232.tif 000008